(57)【特許請求の範囲】
【請求項１】
ディジタルビデオ情報信号のほぼリアルタイムのストリームをディスク状記録担体に記録する装置であって、
前記ディジタルビデオ情報信号のストリームはビデオフレームのシーケンスに配列された情報信号を表し、各ビデオフレームは複数のデータパケットで伝送される個別の連続する複数のデータブロックに配列され、これらのデータブロックはデータブロックヘッダを含み、前記ディスク状記録担体はデータパケットのサイズより大きい所定のサイズの記録単位を有しており、
該装置は、
前記ディジタルビデオ情報信号のストリームを受信する入力手段と、
前記ディジタルビデオ情報信号のストリームを処理して情報の論理単位に相当する記録可能な情報信号を得る処理手段と、
前記記録可能な情報信号を前記ディスク状記録担体上の記録単位に書き込む書込手段と、
を具え、
前記処理手段は、前記データパケット内の前記データブロックを検出し、前記データパケットから前記データブロックを分離し、前記データブロックヘッダに含まれる情報を用いて割当て情報を生成し、該割当て情報に従って、各情報論理単位に複数のデータブロックを割り当てて、複数のデータパケットに含まれる連続する複数のデータブロックを連続する複数の情報論理単位に割り当てるように構成され、各情報論理単位のサイズが前記記録単位の前記所定のサイズに対応しており、
前記処理手段は、前記ビデオフレームのシーケンスに含まれるビデオフレームの開始を表す第１データブロックを、情報論理単位内の６４バイト又は１２８バイトの倍数である位置で開始する所定位置に割り当てるように構成されている、
ことを特徴とする記録装置。
【請求項２】
前記処理手段は、ディジタルインターフェースフォーマットに従う前記ディジタルビデオ情報信号のストリームを処理するように構成されている、
ことを特徴とする請求項１記載の記録装置。
【請求項３】
前記処理手段は、複数である整数個のデータブロックを１つの情報論理単位に割り当てるように構成されている、
ことを特徴とする請求項１記載の記録装置。
【請求項４】
前記処理手段は、情報論理単位に論理単位ヘッダを付与するように構成されている、
ことを特徴とする請求項１記載の記録装置。
【請求項５】
前記処理手段は、前記論理単位ヘッダにコピー防止情報を付与するように構成されている、
ことを特徴とする請求項４記載の記録装置。
【請求項６】
前記処理手段は、前記データブロックから前記データブロックヘッダを除去し、前記情報論理単位内のデータブロックをアドレスするためのアドレス情報を前記論理単位ヘッダに付与するように構成されている、
ことを特徴とする請求項４記載の記録装置。
【請求項７】
ディスク状記録担体からディジタルビデオ情報信号のほぼリアルタイムのストリームを再生する装置であって、前記ディジタルビデオ情報信号のストリームはビデオフレームのシーケンスに配列された情報信号を表し、各ビデオフレームは複数のデータパケットで伝送される個別の連続する複数のデータブロックに配列され、これらのデータブロックはデータブロックヘッダを含み、前記ディスク状記録担体はデータパケットのサイズより大きい所定のサイズの記録単位を有しており、
該装置は、
前記ディスク状記録担体上の記録単位から該記録単位の前記所定のサイズに対応するサイズの情報論理単位に相当する情報信号を読み取る入力手段と、
得られた情報信号を処理して前記ディジタルビデオ情報信号のストリームを得る処理手段と、
を具え、
前記処理手段は、各情報論理単位に複数のデータブロックが割り当てられた連続する複数の情報論理単位に含まれる連続する複数のデータブロックを再生し、前記ビデオフレームのシーケンスを形成するように構成されており、
前記処理手段は、前記シーケンスに含まれるビデオフレームの開始を表す第１データブロックを再生するよう構成され、前記第１データブロックは情報論理単位内の６４バイト又は１２８バイトの倍数である位置で開始する所定位置で開始する、
ことを特徴とする再生装置。
【請求項８】
前記処理手段は、ディジタルインターフェースフォーマットに従うディジタルビデオ情報信号のストリームを表す情報論理単位を処理するように構成されている、
ことを特徴とする請求項７記載の再生装置。
【請求項９】
前記処理手段は、複数である整数個のデータブロックを各々が含む複数の情報論理単位を処理するように構成されている、
ことを特徴とする請求項７記載の再生装置。
【請求項１０】
前記処理手段は、情報論理単位に含まれる論理単位ヘッダを再生するように構成されている、
ことを特徴とする請求項７記載の再生装置。
【請求項１１】
前記処理手段は、前記論理単位ヘッダに含まれるコピー防止情報を再生するように構成されている、
ことを特徴とする請求項１０記載の再生装置。
【請求項１２】
前記処理手段は、前記情報論理単位内のデータブロックをアドレスするためのアドレス情報を再生するよう構成され、前記アドレス情報は前記論理単位ヘッダに含まれている、
ことを特徴とする請求項１０記載の再生装置。
【請求項１３】
前記処理手段は、前記アドレス情報を用いて前記データブロックにデータブロックヘッダを付与する、
ことを特徴とする請求項１０記載の再生装置。
【請求項１４】
ディジタルビデオ情報信号のほぼリアルタイムのストリームをディスク状記録担体に記憶する方法であって、前記ディジタルビデオ情報信号のストリームはビデオフレームのシーケンスに配列された情報信号を表し、各ビデオフレームは複数のデータパケットで伝送される個別の連続する複数のデータブロックに配列され、これらのデータブロックはデータブロックヘッダを含み、前記ディスク状記録担体はデータパケットのサイズより大きい所定のサイズの記録単位を有しており、
該方法は、
前記ディジタルビデオ情報信号のストリームを受信するステップと、
前記ディジタルビデオ情報信号のストリーム内のデータパケットを検出するステップと、
を具える記憶方法において、
前記データパケット内の前記データブロックを検出するステップと、
前記データパケットから前記データブロックを分離するステップと、
前記データブロックヘッダに含まれる情報を用いて割当て情報を生成するステップと、
前記割当て情報に従って、各情報論理単位に複数のデータブロックを割り当てて、連続する複数のデータブロックを連続する複数の情報論理単位に割り当てるステップと、
を具え、
各情報論理単位のサイズが前記記録単位の前記所定のサイズに対応しており、
前記ビデオフレームのシーケンスに含まれるビデオフレームの開始を表す第１データブロックが情報論理単位内の６４バイト又は１２８バイトの倍数である位置で開始する所定位置に割り当てられる、
ことを特徴とする記憶方法。
【請求項１５】
前記ディジタル情報信号のストリームはディジタルインターフェースフォーマットに従うディジタルビデオ信号のストリームである、
ことを特徴とする請求項１４記載の記憶方法。
【請求項１６】
複数である整数個のデータブロックを１つの情報論理単位に割り当てる、
ことを特徴とする請求項１４記載の記憶方法。
【請求項１７】
情報論理単位に論理単位ヘッダを付与するステップ、
を具えることを特徴とする請求項１４記載の記憶方法。
【請求項１８】
前記論理単位ヘッダにコピー防止情報を付与するステップ、
を具えることを特徴とする請求項１７記載の記憶方法。
【請求項１９】
前記データブロックから前記データブロックヘッダを除去し、前記情報論理単位内のデータブロックをアドレスするためのアドレス情報を前記論理単位ヘッダに付与するステップ、
を具えることを特徴とする請求項１７記載の記憶方法。
【発明の詳細な説明】
【技術分野】
【０００１】
本発明は、ディジタルビデオ情報信号のほぼリアルタイムのストリームをディスク状記録担体に記録する装置であって、前記ディジタルビデオ情報信号のストリームはビデオフレームのシーケンスに配列された情報信号を表し、各ビデオフレームは複数のデータパケットで伝送される個別の連続する複数のデータブロックに配列され、これらのデータブロックはデータブロックヘッダを含み、前記ディスク状記録担体はデータパケットのサイズより大きい所定のサイズの記録単位を有しており、該装置は、
前記ディジタルビデオ情報信号のストリームを受信する入力手段と、
前記ディジタルビデオ情報信号のストリームを処理して情報の論理単位に相当する記録可能な情報信号を得る処理手段と、
前記記録可能な情報信号を前記ディスク状記録担体上の記録単位に書き込む書込手段と、
を具える記録装置に関する。
【０００２】
本発明は、更に、ディスク状記録担体からディジタルビデオ情報信号のほぼリアルタイムのストリームを再生する装置であって、前記ディジタルビデオ情報信号のストリームはビデオフレームのシーケンスに配列された情報信号を表し、各ビデオフレームは複数のデータパケットで伝送される個別の連続する複数のデータブロックに配列され、前記ディスク状記録担体はデータパケットのサイズより大きい所定のサイズの記録単位を有しており、該装置は、
前記ディスク状記録担体上の記録単位から該記録単位の前記所定のサイズに対応するサイズの情報論理単位に相当する情報信号を読み取る入力手段と、
得られた情報信号を処理して前記ディジタルビデオ情報信号のストリームを得る処理手段と、
を具える再生装置にも関する。
【０００３】
本発明は、更に、ディジタルビデオ情報信号のほぼリアルタイムのストリームをディスク状記録担体に記憶する方法であって、前記ディジタルビデオ情報信号のストリームはビデオフレームのシーケンスに配列された情報信号を表し、各ビデオフレームは複数のデータパケットで伝送される個別の連続する複数のデータブロックに配列され、これらのデータブロックはデータブロックヘッダを含み、前記ディスク状記録担体はデータパケットのサイズより大きい所定のサイズの記録単位を有しており、該方法は、
前記ディジタルビデオ情報信号のストリームを受信するステップと、
前記ディジタルビデオ情報信号のストリーム内のデータパケットを検出するステップと、
を具える記憶方法にも関する。
【０００４】
更に、本発明は、前記記録装置によって記録された記録可能な情報信号が設けられた記録担体にも関する。
【背景技術】
【０００５】
頭書に記載のディジタルビデオ情報信号のほぼリアルタイムストリームを記録する装置の一つの実施例が国際特許公開ＷＯ00/52693から既知である。トランスポートストリームは、データパケット及びビデオ情報信号ストリーム内の前記データパケットの到来時間を表す対応するタイムスタンプを含む。トランスポートストリームは、標準解像度ＴＶ（ＳＤＴＶ）アナログ入力信号（525/60ＴＶ方式及び625/50ＴＶ方式）を記録するため及びディジタルビデオ（ＤＶ）などのＳＤＴＶディジタル入力信号またはディジタル放送ストリームを記録するために使用することができる。アナログ信号は記録前にＭＰＥＧエンコーダにより符号化される。ディジタル信号の場合には、これらの信号をＭＰＥＧトランスポートストリームに符号化する前に最初に復号する必要がある。これは、ディジタル信号内に存在するいくつかの特性(補助)データが信号をＭＰＥＧトランスポートストリームにトランスコーディングする間に失われてしまう欠点をもたらす。これはデータの品質にも影響を与える。特に、原ＤＶ信号のフォーマットの変更は原ＤＶ信号を専用のソフトウエアで編集するのに不適切なものにし得る。
【発明の開示】
【０００６】
本発明の目的は、上述した欠点を克服することにあり、一般には、ディジタルビデオ情報信号をディスク状記録担体に記憶する問題を解決することにある。
【０００７】
この目的を達成するために、本発明の第1の態様では、頭書に記載のタイプの記録装置において、前記処理手段は、前記データパケット内のデータブロックを検出し、前記データパケットからデータブロックを分離し、前記データブロックのヘッダに含まれる情報を用いて割当て情報を発生し、該割当て情報に従って、各情報論理単位に複数のデータブロックを割り当てて、複数のデータパケットに含まれる連続する複数のデータブロックを連続する複数の情報論理単位に割り当てるように構成され、各情報論理単位のサイズが前記記録単位の所定のサイズに対応していることを特徴とする。
【０００８】
本発明の記録装置によれば、異なるフォーマットへトランスコーディングすることを必要としない―補助データなどの原情報が保存される―効率的な手法で、ディジタルビデオ情報信号をディスク状記録担体に記憶することができる点で有利である。
【０００９】
本発明記録装置の一つの実施例では、前記処理手段は、前記ビデオフレームのシーケンスに含まれるビデオフレームの開始を表す第１データブロックを情報論理単位内の予め決められた位置に割り当てるように構成する。この実施例は、システム情報信号の記憶、取り出し及び編集を簡単にする利点がある。これは特にビデオフレームのシーケンスがシーケンスの一部を除去するような編集処理を受ける場合に重要である。
【００１０】
本発明の他の一つの実施例では、前記処理手段は、複数である整数個のデータブロックを１つの情報論理単位に割り当てるように構成する。この実施例は、情報論理単位に含まれるデータの構造を簡単にする利点があり、すべての論理単位を同一の構造にすることができる。
【００１１】
前記処理手段は、情報論理単位に論理単位ヘッダを付与するように構成すると有利である。論理単位ヘッダは論理単位に含まれるデータの構造に関する情報を格納するために使用することができる。
【００１２】
本発明記録装置の他の一つの実施例では、前記処理手段は、前記論理単位ヘッダにコピー防止情報を付与するように構成する。この実施例は、記録担体に記憶されたディジタル情報信号を不正コピーから保護することができる。
【００１３】
本発明記録装置の別の実施例では、前記処理手段は、データブロックから前記データブロックヘッダを除去し、情報論理単位内のデータブロックをアドレスするためのアドレス情報を前記論理単位ヘッダに付与するように構成する。これにより、記録担体に記録されるディジタルビデオ情報信号の構造を簡単にし、データレートを低減することができる。
【００１４】
本発明の第２の態様では、頭書に記載したタイプの再生装置において、前記処理手段は、各情報論理単位に複数のデータブロックが割り当てられた連続する複数の情報論理単位に含まれる連続する複数のデータブロックを再生し、ビデオフレームのシーケンスを形成するように構成される。
【００１５】
本発明の第３の態様では、頭書に記載したタイプの記憶方法において、
データパケット内のデータブロックを検出するステップと、
データパケットからデータブロックを分離するステップと、
データブロックヘッダに含まれる情報を用いて割当て情報を生成するステップと、
前記割当て情報に従って、各情報論理単位に複数のデータブロックを割り当てて、複数のデータパケットに含まれる連続する複数のデータブロックを連続する複数の情報論理単位に割り当てるステップとを具え、各情報論理単位のサイズが前記記録単位の所定のサイズに対応していることを特徴とする。
【００１６】
本発明の第４の態様では、頭書に記載したタイプの記録担体において、上記の第３の態様の記憶方法で記録可能な情報信号が記録されていることを特徴とする。
【発明を実施するための最良の形態】
【００１７】
本発明のこれらの特徴及び他の特徴は図面を参照して以下に記載する種々の実施例の説明から明らかになる。
図１は、本発明に基づくディジタルビデオ情報信号のほぼリアルタイムストリームをディスク状記録担体に記録する装置の一実施例を示す。本装置は、ディジタルビデオ情報信号のストリームを受信する入力端子１と、ディジタルビデオ情報信号ストリームを処理して情報の論理単位に相当する記録可能な情報信号を得るための処理装置１００とを具える。信号処理装置１００は入力端子１からディジタルビデオ情報信号を受信し、記録担体３に記録するためにこれらの信号を処理する。更に、読取／書込装置１０２が使用可能である。読取／書込装置１０２は読取／書込ヘッド１０４を具え、本例では該ヘッドは記録可能な情報信号を記録担体３上の記録単位に／から書き込む／読み取る光読取／書込ヘッドである。更に、ヘッド１０４を記録担体３の半径方向に位置決めするための位置決め手段１０６が存在する。記録すべき信号及び記録担体から読み取られた信号を増幅するために読取／書込増幅器１０８が存在する。モータ１１０はモータ制御信号発生装置１１２により供給されるモータ制御信号に応答して記録担体３を回転させるために使用可能である。ライン１１６，１１８及び１２０を介してすべての回路を制御するマイクロプロセッサ１１４が存在する。本装置は装置からのコマンド(例えばディジタル情報信号の記録を開始するコマンド)を受信する入力装置１３０を設けることができる。
【００１８】
信号処理装置１００は、更に、図２に例示されているようなビデオフレームのシーケンス１０内に配列された情報を表すディジタル情報信号のストリームを処理するように構成されている。本例では、ビデオフレーム１１はデータブロックヘッダを含む多数の連続するデータブロック１２からなる。データブロック１２はデータパケット１３で処理装置１００に伝送される。処理装置１００は多数のデータパケット１３に含まれるデータブロック１２を識別することができる。更に、処理装置１００は連続する複数のデータブロック１２をグループ化し、それらを連続する複数の論理単位１４に割り当てることができる。この目的のために、処理装置１００はデータブロックヘッダに含まれる情報を使用することができる。各論理単位１４は記録担体３上の記録単位の所定のサイズに対応するサイズを有する。処理装置１００は論理単位１４に相当する記録可能情報信号を発生し、これらの信号は読取／書込装置１０２により記録担体３に書き込むことができる。処理装置１００により実行される割当てはビデオフレームシーケンス１０のフォーマットを保存し、シーケンス１０内のビデオフレームの順番及びビデオフレーム１１内のデータブロック１２の順番を維持する。データブロック１２に含まれるデータ、例えば補助データも保存する。
【００１９】
処理装置１００は、図３に示すように、ビデオフレームシーケンス２２に含まれるビデオフレーム２１の開始を表す第１データブロック２０を論理単位２４内の所定の位置２３に割り当てるように構成することができる。これによりビデオフレームが論理単位内の既知の位置で開始することができるようになる。
【００２０】
処理装置１００は、更に、ビデオフレームシーケンスの編集を行うように構成することができ、例えばビデオフレームシーケンスの一部分（いくつかのフレーム）を除去する、または、ビデオフレームシーケンスを複数のシーケンスに分割することができる。ビデオフレームシーケンスを割り当てるために論理単位２４内の所定位置２３を使用することにより、編集されたシーケンスまたは新しいシーケンスの開始点を常に既知にすることができる。
【００２１】
所定の位置２３は、例えば記録すべきディジタルビデオ情報信号のフォーマットのような環境に基づいて決めることができる。
【００２２】
例えば、ディジタルインターフェースフォーマット（ＤＩＦ）は、ＤＶ信号をディジタルビデオカメラとビデオレコーダとの間で伝送するためのフォーマットとして広く使用されている。このフォーマットは刊行物「IEC 61883 - Digital Interface for Consumer Electronics Audio/Video Equipment」に定義されている。DV情報信号ストリームはビデオフレームを構成するビデオデータのシーケンスを表し、各ビデオフレームは一つの完全なビデオピクチャ、オーディオ情報及び付加データを表す。ＳＤＴＶ信号の場合には、１フレームはＮＴＳＣまたはＰＡＬ方式に対してそれぞれ１０または１２の所謂ＤＩＦシーケンスからなる。各ＤＩＦシーケンスは１５０の所謂ＤＩＦブロックからなり、各ＤＩＦブロックは８０バイトである。（１５０のうちの）１４４ＤＩＦブロックは圧縮ビデオデータ(１３５ブロック)とオーディオデータ（９ブロック）とを具える。残りの６ＤＩＦブロックはシーケンスヘッダ（１ブロック）、サブコード（２ブロック）及びビデオ補助（ＶＡＵＸ）データ（３ブロック）に充てられる。ＶＡＵＸデータは記録日時、レンズ開口、シャッター速度、カラーバランス及びその他のビデオカメラ設定データを含む。図４はビデオフレーム内のＤＩＦブロックの編成を示す。各ＤＩＦブロックは、３バイトの識別データ（ＩＤ）（以後ブロックヘッダとも言う）、１バイトのブロックサブヘッダ（Ｈ）、７６バイトのペイロードを含む。ＮＴＳＣ方式における２９．９７フレーム／秒のリフレッシュレートの場合、図４に示すフォーマットに従うディジタル情報信号のストリームは２８．７７Mbpsを有する。
【００２３】
本発明によるディジタル情報信号ストリーム記録装置の他の実施例はディジタルビデオ情報信号をＤＩＦスタンダードに従って処理するように処理装置１００を適応させることにより実現される。
【００２４】
ＤＩＦスタンダードに従うビデオフレームのサイズはＮＴＳＣまたはＰＡＬ方式でそれぞれ１２００００バイトまたは１４４０００バイトである。処理装置１００は２０４８バイトの論理単位を使用し、ビデオフレームの開始を表す第１データブロック２０を論理単位内における６４バイトの倍数（ＮＴＳＣの場合）または１２８バイトの倍数（ＰＡＬ方式の場合）の位置で開始する場所に割り当てるように構成することができる。これにより記録担体に記録されたビデオデータシーケンス内の任意のビデオフレームの位置特定が著しく簡単になる。また、該シーケンスに実行される編集処理が簡単になり、ビデオフレームの任意のシーケンスを論理単位内の６４バイトの倍数（ＮＴＳＣ方式）または１２８バイトの倍数（ＰＡＬ方式）の位置で開始／終了させることが簡単になる。
【００２５】
ディジタルビデオ情報信号ストリーム記録装置の更に他の実施例は、複数である整数個のデータブロックを１つの論理単位内に割り当てるように処理装置１００を構成することにより実現することができる。これにより、例えば、各データブロックが１つの論理単位内にのみ含まれ、換言すれば、どのデータブロックも１つの論理単位から別の論理単位まで延在しないようにすることができる。これが図５に示す論理単位の一例で示されている。論理単位３０は２０４８バイトのサイズを有し、各８０バイトの２５個の完全ＤＩＦブロック３１をマッピングするのに使用することができる。この場合、得られるデータレートはＮＴＳＣビデオ信号の場合約２９．５Mbpsである。
【００２６】
処理装置１００は、残りのバイト（この特定の例では４８バイト）をゼロで埋める、または、これらのバイトを付加情報のために使用するように構成することができる。例えば、論理単位３０に論理単位ヘッダを付与し、該ヘッダにディジタルビデオ情報信号に関する特殊情報を含めることができる。特に、ヘッダ３２には例えば２ビットフラグの形態のコピー防止情報を含め、該情報は記録担体に記憶されたデータの不正コピーを防止するために使用することができる。
【００２７】
更に、処理装置１００は、論理単位ヘッダ３２に、例えば論理単位のコンテンツをアドレスするアドレス情報を付与するように変更することもできる。例えば、ＤＩＦブロックの場合には、データブロックの論理単位への割当て中に処理装置１００により３バイトブロックヘッダ（図４のＩＤ）を除去することができる。その代わりに、論理単位ヘッダ３２にデータブロックのアドレス指定のための簡単なアドレス情報を付与することができる。
【００２８】
ＤＩＦフレームは固定の構造及び１２００００バイト（ＮＴＳＣ方式）または１４４０００（ＰＡＬ方式）のサイズを有する。処理装置１００は、この特徴を利用してＤＩＦフレームのシーケンスを構成するＤＩＦブロックをデータレートが減少するように割り当てる構成にすることができる。例えば、処理装置１００は、データブロックをそれぞれが２０４８バイトの３つの連続する論理単位を含むいわゆる整列単位内に割り当てることができる。図６はこの構造の一例を示す。各整列単位４０の最初の３バイト(ヘッダ)は、コピー防止用の２ビット４１、ペイロードの第１バイトからのＤＩＦシーケンス番号のための４ビット４２、新しいＤＩＦシーケンスの開始位置のための１３ビット４３（新しいＤＩＦが特定の整列単位で開始する場合）及び予備のための５ビット４４を含む。ＤＩＦブロックから冗長情報が除去されるため、７７バイト長のＤＩＦブロック４５、即ち３バイトブロックヘッダのないブロックが６１４１バイトの整列単位にマッピングされる。これによりデータレートは２７．７Mbps（ＮＴＳＣ方式の場合）に減少する。
【００２９】
ディジタルビデオ情報信号ストリーム記録装置の種々の実施例により実行される処理に関連して記載された論理単位１４，２４，３０，４０の具体的構造が記録担体３にディジタルビデオ情報信号を記憶するフォーマットを規定する。
【００３０】
図７は本発明によるディスク状記録担体３からディジタルビデオ情報信号のほぼリアルタイムストリームを再生する装置の一実施例を示す。本装置は、読取装置３０２と、信号処理装置３００と、ディジタルビデオ情報信号のストリームを出力する出力端子２０２とを具える。読取装置３０２は読取ヘッド３０４を具え、本例ではこの読取ヘッドは記録担体３から情報の論理単位に相当する情報信号を読み取る光読取ヘッドであり、論理単位は記録担体３の記録単位に対応する。信号処理装置３００は読取装置３０２から情報信号を受信し、情報信号を処理してディジタルビデオ情報信号のストリームを得る。更に、ヘッド３０４を記録担体３の半径方向に位置決めするための位置決め手段３０６が存在する。記録担体３から読み取られた信号を増幅するために読取増幅器３０８が存在する。モータ３１０はモータ制御信号発生装置３１２により供給されるモータ制御信号に応答して記録担体３を回転させるために使用可能である。ライン３１６，３１８及び３２０を介してすべての回路を制御するマイクロプロセッサ３１４が存在する。ディジタルビデオ情報信号のストリームは図示されていない別の装置（例えばテレビジョンセット）または別の処理装置に出力することができる。
【００３１】
本装置には更にユーザからのコマンドを受信する入力装置３３０を設けることができる。ビデオデータを表すディジタル情報信号の場合には、これらのコマンドは種々の再生コマンドとすることができる。
【００３２】
信号処理装置３００は更に連続する複数の論理単位１４に含まれる連続する複数のデータブロック１２を再生し、図２に例示するようなビデオフレームのシーケンス１０を形成するように構成する。本例では、ビデオフレーム１１は多数の連続するデータブロック１２からなる。処理装置３００は多数のデータパケットで伝送するためのディジタルビデオ情報信号のストリームを発生するように構成することができる。処理装置３００は論理単位からデータブロックを再生するためにデータブロックヘッダを用いることができる。
【００３３】
処理装置３００は、図３に示すような論理単位２４内の所定位置２３で開始する、ビデオフレームシーケンス２２に含まれるビデオフレーム２１の開始を表す第１データブロックを再生できるように構成することができる。
【００３４】
所定位置２３は、例えば再生すべきディジタル情報信号のフォーマットのような環境に基づいて規定することができる。
【００３５】
本発明によるディジタルビデオ情報信号ストリーム再生装置の他の実施例は、図４につき説明したＤＩＦスタンダードに従うディジタルビデオ情報信号のストリームを処理するように構成することにより実現される。
【００３６】
処理装置３００は２０４８バイトの論理単位を用いて、論理単位内の６４バイト（ＮＴＳＣ方式の場合）または１２８バイト（ＰＡＬ方式の場合）の倍数の位置で開始する場所からビデオフレームの開始を表す第１データブロックを再生するように構成することができる。これにより、記録担体に記録されたビデオデータのシーケンス内における任意のビデオフレームの位置特定が著しく簡単になる。また、該シーケンスに実行される編集処理が簡単になり、ビデオフレームの任意のシーケンスを論理単位内の６４バイトの倍数（ＮＴＳＣ方式）または１２８バイトの倍数（ＰＡＬ方式）の位置で開始／終了させることが簡単にできる。
【００３７】
ディジタルビデオ情報信号ストリーム再生装置の更に他の実施例は、１つの論理単位から複数である整数個のデータブロックを再生するように処理装置３００を構成することにより実現することができる。この実施例は図５に示す論理単位の例で説明される。論理単位３０は２０４８バイトのサイズを有し、各８０バイトの２５個の完全ＤＩＦブロック３１をマッピングするのに使用することができる。
【００３８】
処理装置３００は残りのバイト（本例では４８バイト）から付加情報を再生するよう構成することができる。例えば、論理単位３０は論理単位ヘッダ３２が付与され、該ヘッダはディジタル情報信号に関する特殊情報を含むことができる。特に、ヘッダ３２は例えば２ビットフラグ形態のコピー防止情報を含み、該情報を用いて記録担体に記憶されたデータの不正再生や不正コピーを防止することができる。
【００３９】
更に、処理装置３００は、例えば論理単位のコンテンツをアドレスするアドレス情報が付与された論理単位ヘッダ３２を再生するように変更することもできる。
【００４０】
処理装置３００は、図６につき説明したようなそれぞれが２０４８バイトの３つの連続する論理単位を含むいわゆる整列単位からデータブロックを再生するように構成することができる。更に、処理装置３００はデータブロックにデータブロックヘッダを付与するように変更することもできる(図４参照)。
【００４１】
図８は本発明によるディジタルビデオ情報信号のほぼリアルタイムストリームをディスク状記録担体に記憶する方法の一実施例を示す。ディジタルビデオ情報信号のストリームは、図２につき説明したように、ビデオフレームのシーケンスに配列された情報を表し、各ビデオフレームはデータパケットで伝送される個別の連続する複数のデータブロックに配列されている。ステップ４０１において、ディジタル情報信号のストリームが受信される。ディジタル情報信号のストリーム内のデータパケットがステップ４０２で検出される。更に、データパケット内のデータブロックが次のステップ４０３で検出される。次に、ステップ４０４でデータブロックがデータパケットから分離される。次のステップ４０５で、データブロックを論理単位に割り当てるために割当て情報が生成される。この目的のためにはデータブロックヘッダに含まれる情報を使用することができる。ステップ４０４及び４０５は入れ替えることができる。最後に、ステップ４０６で、複数のデータパケットに含まれる連続する複数のデータブロックを割当て情報に従って連続する複数の論理単位内に割り当てる。各論理単位のサイズは記録担体の記録単位の所定のサイズに一致する。
【００４２】
本発明によるディジタルビデオ情報信号ストリーム記憶方法の一実施例では、ステップ４０６を、図３に示すように、ビデオフレーム２２のシーケンスに含まれるビデオフレーム２１の開始を表す第１データブロック２０が論理単位２４内の所定位置２３に割り当てられるように変更する。
【００４３】
本発明によるディジタルビデオ情報信号ストリーム記憶方法の他の実施例では、すべてのステップを先に述べたＤＩＦスタンダードに従うディジタルビデオ信号のストリームを処理するように変更する。
【００４４】
本発明によるディジタルビデオ情報信号ストリーム記憶方法の更に他の実施例では、ステップ４０６を、図５につき説明したように、複数である整数個のデータブロックが１つの論理単位に割り当てられるように変更する。
【００４５】
ステップ４０６は、論理単位３０に、ディジタルビデオ情報信号に関する特殊情報を含むことができる論理単位ヘッダ３２を付与するように変更することができる。特に、ヘッダ３２は例えば２ビットフラグの形態のコピー防止情報を含み、該情報は記録担体に記憶されたデータの不正コピーを防止するために使用することができる。
【００４６】
更に、ステップ４０６は、データブロックヘッダを除去し、論理単位ヘッダ３２に、例えば論理単位のコンテンツをアドレスするアドレス情報を付与するサブステップを含むように変更することもできる。例えば、ＤＩＦブロックの場合には、３バイトのブロックヘッダ(図４のＩＤ)を除去することができる。そして、その代わりに、論理単位ヘッダ３２にデータブロックのアドレス指定のための簡単なアドレス情報を付与することができる。
【００４７】
本発明によるディジタルビデオ情報信号ストリーム記憶方法の他の実施例では、ステップ４０６は、データブロックを図６につき説明したように割当てるように変更する。
【００４８】
本発明を好適実施例について説明したが、本発明はこれらの実施例に限定されるものではない。従って、特許請求の範囲の記載により特定される本発明の範囲内において種々の変更が当業者に明らかである。更に、本発明は上述した構成要件の各々及びそれらの組合せに特徴を有する。本発明はコンピュータプログラムを実行する汎用プロセッサまたは専用のハードウエアまたはそれらの組合せにより実現することができる。
【図面の簡単な説明】
【００４９】
【図１】本発明によるディジタルビデオ情報信号ストリームの記録装置の一実施例を示す図である。
【図２】ディジタルビデオ情報信号ストリームで表される情報の構造の一例及び本発明によるデータブロックの割当て方法の一例を示す図である。
【図３】本発明によるデータブロックの割当て方法の他の例を示す図である。
【図４】ディジタルインターフェースフォーマット（DIF）に対して定義されたビデオフレーム内のデータブロックの構成を示す図である。
【図５】本発明に従って整数個のデータブロックを有する情報論理単位の構造の一例を示す図である。
【図６】本発明による論理単位内のデータブロックの割当て方法の別の一例を示す図である。
【図７】本発明によるディジタルビデオ情報信号ストリームの再生装置の一実施例を示す図である。
【図８】本発明によるディジタルビデオ情報信号ストリームをディスク状記録担体に記憶する方法の一実施例を示すフロー図である。
【図１】
0005242914.tif 000002
【図２】
0005242914.tif 000003
【図３】
0005242914.tif 000004
【図４】
0005242914.tif 000005
【図５】
0005242914.tif 000006
【図６】
0005242914.tif 000007
【図７】
0005242914.tif 000008
【図８】
0005242914.tif 000009